(57)【要約】【課題】移植のため、動物由来の組織から構造および生体力学的特性を保持したまま結合組織をドナー由来細胞を含む他の成分から分離可能な処理方法を提供する。【解決手段】移植可能な動物由来組織へ媒体中で超高静水圧を印加することにより、構造および生体力学的性をインタクトに保った状態で結合組織を細胞を含む他の成分から分離可能とすることを特徴とする移植用生体組織の処理方法。【選択図】　なし【特許請求の範囲】
【請求項１】
移植可能な動物由来組織へ媒体中で超高静水圧を印加することにより、構造および生体力学的特性をインタクトに保った状態で結合組織を細胞を含む他の成分から分離可能とすることを特徴とする移植用生体組織の処理方法。
【請求項２】
処理される組織は、血管、心臓弁膜、角膜、羊膜、および硬膜を含む軟組織である請求項１の方法。
【請求項３】
処理される組織は、骨、軟骨、歯を含む硬組織である請求項１の方法。
【請求項４】
処理される組織は、心臓、腎臓、肝臓、膵臓、骨、脳を含む臓器もしくはその一部である請求項１の方法。
【請求項５】
超高静水圧は５０００〜１５０００気圧である請求項１の方法。
【請求項６】
超高静水圧の印加は、０℃〜４０℃の温度で実施される請求項１の方法。
【請求項７】
前記媒体は、水、高張液、低張液、界面活性剤溶液、酵素液、または少割合の有機溶媒を含むこれらの媒体である請求項１の方法。
【請求項８】
処理後、洗浄により破壊された細胞を組織から除去する工程を含む請求項１ないし７のいずれかの方法。
【発明の詳細な説明】
【０００１】
本発明は、移植用の生物由来組織からドナー細胞の破壊、細胞の死滅とウイルス不活化を達成する技術に関する。
【０００２】
【従来の技術】
生体組織をグルタルアルデヒドのような固定剤によって化学処理することによって、あるいは生体組織から細胞成分を取り去ることによって移植用組織片が作成され、広く臨床応用されている。例えば心臓弁置換術において、異種生体弁はブタ心臓弁あるいはウシ心膜を免疫原性の低下のためにグルタルアルデヒドで固定化したものである。この異種生体弁は抗凝固性に優れてはいるが、若年者では５〜１０年程度の耐久性しかなく、通常は６０歳以上の高齢者への適用とされる。欧米では１９８５年頃から、我が国でも近年、凍結保存による組織バンクが整備されたことで、死体から提供された凍結保存同種弁が臨床で使用されつつある。この同種弁は機械弁に比べて抗血栓性で、異種生体弁に比べて耐久性で、そして両者に対して抗感染性で優れているとされる。しかしながら、提供数が絶対的に不足しているのが大きな問題である。また、若年者では比較的早期に機能不全を来す症例も報告されており、免疫反応の関与が強く示唆されている。若年者に有効とされるＲｏｓｓ手術では、自己肺動脈弁を大動脈弁位に置換移植し、欠損した肺動脈弁を凍結保存同種弁によって再建するが、大動脈弁位に移植された自己肺動脈弁は患者の成長とともに増大するという特徴がある。これに対して、機械弁や異種生体弁はもとより、凍結保存同種弁でも成長性を有しないため、小児患者の場合では再移植となる場合が少なくない。最近、これらの問題を解決するために、同種弁からドナー由来細胞を除去することで抗原性の減弱によって免疫反応の関与を低下させることで、耐久性及び自己化を向上させる研究の報告がなされてきた。米国ＣｒｙｏＬｉｆｅ社はＳｙｎｅｒＧｒａｆｔと称する薬液処理による細胞除去方法を発表しており、移植後数ケ月間で自己細胞が組織内に浸潤し、自己組織化すると報告している。また、ドイツ・ハノーバー医科大学のＨａｖｅｒｉｃｈらのグループは、界面活性剤であるＴｒｉｒｏｎＸ−１００やタンパク分解酵素であるトリプシン溶液を細胞除去に用いている。しかしながら、従来の界面活性剤あるいは薬液のみによる洗浄工程だけでは、組織片内部の細胞成分および細菌やウイルスの除去は薬液の表面からの拡散および浸透によるため、十分ではない。また、このような制約のため、大型の組織片の処理については完全な細胞除去や細菌、ウイルス除去が困難であった。また、化学処理による場合では、十分な効果を得るためには処理の度合いを高める必要があり、それによって埋入後の石灰化や処理試薬の除去などの問題が生じる。さらに、硬膜移植におけるＢＳＥ及びＣＪＤの感染で明らかとなったように、移植組織の安全性確保は極めて重要であるが、現在の化学薬液処理においては、組織内のウイルスを完全に不活化できるとの保証が得られていない。また、処理過程における汚染によって、移植用組織からの感染事故もしばしば発生している。
【０００３】
【発明が解決しようとする課題】
本発明の目的は、上記のような従来技術の問題点を改善することにある。すなわち、まず第１に、薬液処理では達成できない大型組織内部の細胞成分および細胞やウイルスの除去を達成すること、第２に、生体力学特性を損なうことなく処理を行うこと、第３に、簡便かつ短時間にて組織の滅菌を行うことである。
【０００４】
【課題を解決するための手段】
本発明では、上記の課題を解決するために鋭意研究した結果、高圧下においては、細胞膜の破壊、細菌の死滅、ウイルスの不活化の起こることを利用して、移植用生物由来組織の処理法として利用することを考案した。
【０００５】
本発明は移植可能な動物由来組織へ媒体中で超高静水圧を印加することにより、構造および生体力学的性をインタクトに保った状態で結合組織を細胞を含む他の成分から分離可能とすることを特徴とする移植用生体組織の処理方法を提供する。
【０００６】
ここで用いる高圧とは５０００気圧から１５０００気圧程度までの範囲であり、食品分野での研究において、滅菌が可能であることがすでに示されている。また、細胞破壊およびウイルス不活化がおこることも報告されている。しかしながら、これらを総合的に勘案し、移植用処理法として提案した事例はない。これらの要因をすべて勘案し、かつ、それぞれの要因についての条件範囲および新たに処理温度範囲を設定することで、新しい移植用生物由来組織の処理法を開発した。超高静水圧印加には、例えば、神戸製鋼所製ドクターシェフ等の装置が使用可能である。あるいは光工学社製の超高圧実験装置も使用可能である。いずれも、小型チャンバー内に処理組織を設置し、液体を媒体として１５０００気圧程度までの静水圧が印加できる。また、同時にチャンバー内の温度を、チャンバー外套の温度をコントロールする事によって制御可能である。食品分野と異なり、移植用生体組織の場合は、生体力学特性を変化させないために、構成マトリックスの変性を防ぐ必要があり、高圧印加時において温度が氷点以下や４０℃以上になることを避けなければならない。薬液処理の場合、細胞核の除去は界面活性剤の表面からの拡散および浸透によるため、組織深部の細胞除去には長時間の処理が必要であった。超高圧処理では、３０分という短時間で、組織内の細胞を完全に破壊し、除去することが可能である。さらに、細胞片の内部まで均等に処理することができる。利用分野または用途は、
１）移植用動物由来軟組織
例：脳死あるいは心臓死ドナーからの移植用軟組織処理。もしくはブタ、ウシ等の異種動物からの移植用軟組織処理。細胞成分を除去する洗浄処理工程の効率を飛躍的に高めることができる。また、抗原性原因物質の大幅な減少が達成できる。
２）移植用動物由来硬組織
例：上記と同様に、骨・軟骨・歯などの硬組織処理を行うことができる。
３）医療用生物組織の処理
例：動物および植物由来組織のうち、細胞を含んだものについての細胞破壊処理に用いることができる。
【０００７】
実施例
１．食用ブタ繁殖場からブタ心臓を購入し、４℃にて搬送した。心臓摘出時における温阻血時間は２０分以内とした。肺動脈弁、血管を摘出し、ハンクス液で洗浄した。ドナー細胞を神戸製鋼所製ドクターシェフにて、３７℃、１０００〜１００００気圧の静水圧を１０〜３０分印加した。処理後、ＰＢＳ溶液にて洗浄除去した。処理標本の組織断面をＨＥ染色及びＥＶＧ染色により光顕観察することで、組織学的に評価した。生体力学的特性は、高圧処理した心臓弁葉を幅３ｍｍ、長さ約１５ｍｍの短冊状に切り取り、力学試験機（テンシロン）にて引っ張り試験を行い、破断までの張力を測定した。測定後の切断片の重量と比重から弁葉の膜厚を求め、応力歪み特性から弾性率を計算した。組織の感染性は、あらかじめ常在菌にて感染させた血管組織を高圧処理した後、培養することで細菌増殖能を評価して行った。その結果、図１に示すように、超高圧処理によって脱細胞化したブタ肺動脈弁葉組織では、組織深部まで完全に細胞を除去することができた。これに対して、界面活性剤で処理した肺動脈弁葉断面では、厚さ数百μｍの弁葉内においては、浸漬処理６時間後には細胞核は染色されなかったが、弁葉基部の心筋組織内細胞の核は処理２４時間後でも、表面から１ｍｍ以遠では染色された。また、図２に示すように、超高圧処理後においても弁葉内のコラーゲン線維やエラスチン線維が保存されていることが認められた。生体力学特性は、正常ブタ肺動脈弁葉の比重は約１．０５であり、血管壁とほぼ等しい値であった。弁葉の血管壁接線方向を基準０°として、力学特性の異方性について検討したところ、９０°方向はしなやかで弱く、０°方向は硬くて強い特性を持っていた。図３および４に示すように、超高圧による脱細胞化処理においては、力学特性への影響が全くみられなかった。これに対し、界面活性剤処理では、処理時間によって強度、弾性率とも増加する傾向を示した。さらに、あらかじめ常在菌によって感染させた血管組織を高圧処理したところ、図４に示すように、５０００気圧以上印加した場合、細菌感染が認められなくなった。
【図面の簡単な説明】
【図１】ブタ心臓弁組織の組織断面写真。左が界面活性剤処理２４時間、右が高圧処理１００００気圧１０分、界面活性剤処理では組織深部（左下）内では細胞核の残存が認められる。
【図２】ブタ心臓弁組織の組織断面写真。左が界面活性剤処理２４時間、右が高圧処理１００００気圧１０分、いずれも、組織のルーズニング等が見られずに、コラーゲン組織が良好に保存されている。
【図３】ブタ心臓弁葉の破断強度の処理時間依存性。左が界面活性剤処理、右が高圧処理１００００気圧、界面活性剤処理では破断強度が処理時間に従って増加する傾向にあるが、高圧処理では変化が認められない。
【図４】ブタ心臓弁葉の弾性率の処理時間依存性。左が界面活性剤処理、右が高圧処理１００００気圧。界面活性剤処理では弾性率が処理時間に従って増加する傾向にあるが、高圧処理では変化が認められない。
【図５】あらかじめ常在菌を感染させた血管組織を高圧処理した後、１日間培養した結果。１０００気圧処理では細胞の増殖による培地の混濁が見られるが、５０００気圧以上では認められない。
【図１】
2004097552.tif 000002
【図２】
2004097552.tif 000003
【図３】
2004097552.tif 000004
【図４】
2004097552.tif 000005
【図５】
2004097552.tif 000006